(57)【特許請求の範囲】
【請求項１】
円筒形状をなす容器本体の内周面に螺旋状の突起を有し、回転することにより内部に収容したトナーを排出するトナー収納容器において、
前記トナー収納容器の端面の略中央部が突出した突出部の外周面に前記トナー収納容器の長手方向と略平行に設置された開口部と、前記トナー収納容器が回転することにより前記トナー収納容器の回転中心軸よりも上方へトナーを掻き上げる掻き上げ部と、前記掻き上げ部により掻き上げられたトナーを前記開口部へ案内するトナー案内部とを有することを特徴とするトナー収納容器。
【請求項２】
前記開口部近傍に、前記開口部を開閉する伸縮自在の開閉蓋を設置したことを特徴とする請求項１に記載のトナー収納容器。
【請求項３】
円筒形状をなす容器本体の内周面に螺旋状の突起を有するトナー収納容器を装着し、前記トナー収納容器を回転させることにより前記トナー収納容器からトナーを貯留するトナー貯蔵部へトナーを補給するトナー補給装置において、前記トナー収納容器は、前記トナー収納容器の端面の略中央部が突出した突出部の外周面に前記トナー収納容器の長手方向と略平行に設置された開口部と、前記トナー収納容器が回転することにより前記トナー収納容器の回転中心軸よりも上方へトナーを掻き上げる掻き上げ部と、前記掻き上げ部により掻き上げられたトナーを前記開口部へ案内するトナー案内部とを有し、装着された前記トナー収納容器が回転することにより、前記トナー収納容器の開口部から前記トナー貯蔵部の開口部を通じてトナーを落下させトナーを補給することを特徴とするトナー補給装置。
【請求項４】
前記トナー収納容器の開口部を開閉する伸縮自在の開閉蓋、及び前記トナー貯蔵部への排出口の開閉部を開閉する伸縮自在の開閉蓋がそれぞれ設置されていることを特徴とする請求項３に記載のトナー補給装置。
【請求項５】
前記トナー収納容器を着脱する際に前記トナー収納容器の開閉は前記トナー補給装置の作用により、前記トナー貯留部への排出口の開閉蓋は前記トナー収納容器の作用により互いに開閉動作を行うことを特徴とする請求項３に記載のトナー補給装置。
【発明の詳細な説明】
【０００１】
【発明の属する技術分野】
本発明は、円筒形状をなす容器本体内にトナーを収容し、回転することにより収容したトナーを排出するトナー収納容器及び、該トナー収納容器を装着し回転駆動させることによりトナー収納容器内のトナーをトナー貯蔵部へ補給するトナー補給装置に関する。
【０００２】
【従来の技術】
従来、トナーを収容するトナー収納容器（トナーカートリッジ）から画像形成装置のトナー貯蔵部へトナーを補給する手段として、トナーを補給する際にトナー収納容器を装置本体にセットし、トナー収納容器内のトナーを全部トナー貯蔵部に補給し、補給終了後にトナー収納容器を装置本体から取り外すタイプのものがあった。しかし上記タイプの補給方式はトナーを一度にトナー貯蔵部に補給するために補給しすぎてトナーがトナー貯蔵部から溢れる可能性があり、トナーの過補給を防止する手段を設けなければならなかった。
【０００３】
上記のトナー過補給を防止することは難しく、また過補給防止の手段を装置本体に設置出来たとしても、装置の高価格化、大型化を招いていた。そこで、容器内部に螺旋状の突起を有するトナー収納容器を装置本体に対してセットし、トナー収納容器の中心軸を回転中心として回転させ、トナー収納容器のトナー排出口からトナーを排出させ、トナー貯蔵部にトナーを補給するタイプのものが開発された（特開平７−２９５３５６号公報等）。このタイプのものはトナー収納容器が装置本体に常時設置されているので、トナー貯蔵部内のトナーが減少した場合に、随時トナー収納容器を回転させ、トナー貯蔵部にトナーを補給することが出来るので、上記のようなトナーの過補給を防止する必要がなくなった。
【０００４】
【発明が解決しようとする課題】
上記トナー収納容器、及び該トナー収納容器を装着したトナー補給装置等は、いかに効率よくトナー収納容器内のトナーをトナー貯蔵部へ補給できるか考慮すべき課題としてあがっていた。
【０００５】
本発明は、トナー収納容器、及びトナー収納容器から現像手段にトナーを供給するトナー補給装置における上記のような諸問題を解決することを課題とするものである。
【０００６】
【課題を解決するための手段】
上記の諸問題点を解決する本発明のトナー収納容器は、円筒形状をなす容器本体の内周面に螺旋状の突起を有し、回転することにより内部に収容したトナーを排出するトナー収納容器において、前記トナー収納容器の端面の略中央部が突出した突出部の外周面に前記トナー収納容器の長手方向と略平行に設置された開口部と、前記トナー収納容器が回転することにより前記トナー収納容器の回転中心軸よりも上方へトナーを掻き上げる掻き上げ部と、前記掻き上げ部により掻き上げられたトナーを前記開口部へ案内するトナー案内部とを有することを特徴とするものである（請求項１）。
【０００７】
上記の諸問題点を解決する本発明のトナー補給装置は、円筒形状をなす容器本体の内周面に螺旋状の突起を有するトナー収納容器を装着し、前記トナー収納容器を回転させることにより前記トナー収納容器からトナーを貯留するトナー貯蔵部へトナーを補給するトナー補給装置において、前記トナー収納容器は、前記トナー収納容器の端面の略中央部が突出した突出部の外周面に前記トナー収納容器の長手方向と略平行に設置された開口部と、前記トナー収納容器が回転することにより前記トナー収納容器の回転中心軸よりも上方へトナーを掻き上げる掻き上げ部と、前記掻き上げ部により掻き上げられたトナーを前記開口部へ案内するトナー案内部とを有し、装着された前記トナー収納容器が回転することにより、前記トナー収納容器の開口部から前記トナー貯蔵部の開口部を通じてトナーを落下させトナーを補給することを特徴とするものである（請求項３）。
【０００８】
【発明の実施の形態】
本発明の実施の形態の説明に先立って、本発明のトナー補給装置及び現像器を複数組搭載したカラー画像形成装置の一例であるカラープリンタの構成とその作用を図１の断面構成図によって説明する。
【０００９】
このカラープリンタは、像形成体上に順次形成される各色トナー像を重ね合わせたのち、転写部で記録紙上に１回で転写してカラー画像を形成し、その後、分離手段により像形成体面から剥離する方式のカラー画像形成装置である。
【００１０】
図１において、１０は像形成体である感光体ドラムで、ＯＰＣ感光体（有機感光体）をドラム基体上に塗布形成したもので、接地されて図示の時計方向に駆動回転される。１１はスコロトロン帯電器で、感光体ドラム１０周面に対し高電位ＶHの一様な帯電をグリッド電位ＶGに電位保持されたグリッドとコロナ放電ワイヤによるコロナ放電によって与えられる。このスコロトロン帯電器１１による帯電に先だって、前プリントまでの感光体の履歴をなくすために発光ダイオード等を用いたＰＣＬ（帯電前除電器）１２による露光を行って感光体周面の除電をしておく。
【００１１】
感光体ドラム１０への一様帯電ののち、像露光手段１３により画像信号に基づいた像露光が行われる。像露光手段１３は図示しないレーザーダイオードを発光光源とし回転するポリゴンミラー１３１，ｆθレンズ１３２，シリンドリカルレンズ１３３を経て反射ミラー１３４により光路を曲げられ主走査がなされるもので、感光体ドラム１０の回転（副走査）によって潜像が形成される。本実施の形態では文字部に対して露光を行い、文字部の方が低電位ＶLとなるような反転潜像を形成する。
【００１２】
感光体ドラム１０の周縁には、イエロー（Ｙ），マゼンタ（Ｍ），シアン（Ｃ），黒色（Ｋ）等のトナーとキャリアとから成る二成分現像剤をそれぞれ内蔵した現像器２０Ｙ，２０Ｍ，２０Ｃ，２０Ｋから成る現像装置２０が設けられている。
【００１３】
先ず１色目のイエローの現像がマグネットを内蔵し現像剤を保持して回転する現像剤担持体（現像スリーブ）２１によって行われる。現像剤はフェライトをコアとしてそのまわりに絶縁性樹脂をコーティングしたキャリアと、ポリエステルを主材料として色に応じた顔料と荷電制御剤、シリカ、酸化チタン等を加えたトナーとからなるもので、現像剤は層形成手段によって現像スリーブ２１上に１００〜６００μｍの現像剤層厚に規制されて現像域へと搬送される。
【００１４】
現像域における現像スリーブ２１と感光体ドラム１０との間隙は現像剤層厚よりも大きい０．２〜１．０ｍｍとして、この間にＡＣバイアスＶACと、ＤＣバイアスＶDCが重畳して印加される。ＤＣバイアスＶDCと高電位ＶH、トナーの帯電は同極性であるため、ＡＣバイアスＶACによってキャリアから離脱するきっかけを与えられたトナーはＤＣバイアスＶDCより電位の高い高電位ＶHの部分には付着せず、ＤＣバイアスＶDCより電位の低い低電位ＶL部分に付着し顕像化（反転現像）が行われる。
【００１５】
１色目の顕像化が終った後、２色目のマゼンタの画像形成行程に入り、再びスコロトロン帯電器１１による一様帯電が行われ、２色目の画像データによる潜像が像露光手段１３によって形成される。このとき１色目の画像形成行程で行われたＰＣＬ１２による除電は、１色目の画像部に付着したトナーがまわりの電位の急激な低下により飛び散るため行わない。
【００１６】
再び感光体ドラム１０周面の全面に亘って高電位ＶHの電位となった感光体のうち、１色目の画像のない部分に対しては１色目と同様の潜像がつくられ現像が行われるが、１色目の画像がある部分に対し再び現像を行う部分では、１色目の付着したトナーにより遮光とトナー自身のもつ電荷によって電位ＶM′の潜像が形成され、ＤＣバイアスＶDCと電位ＶM′の電位差に応じた現像が行われる。この１色目と２色目の画像の重なりの部分では１色目の現像を低電位ＶLの潜像をつくって行うと、１色目と２色目とのバランスが崩れるため、１色目の露光量を減らしてＶH＞ＶM′＞ＶLとなる中間電位とすることもある。
【００１７】
３色目のシアン、４色目の黒色についても２色目のマゼンタと同様の画像形成行程が行われ、感光体ドラム１０周面上には４色の顕像が形成される。
【００１８】
上記各現像器２０Ｙ，２０Ｍ，２０Ｃ，２０Ｋに新規の各色トナーを制御して補給するトナー補給装置４０は、複数のトナー収納容器（以下、収納容器と称す）３０Ｙ，３０Ｍ，３０Ｃ，３０Ｋをそれぞれ着脱可能にする収納容器装着部４１Ｙ，４１Ｍ，４１Ｃ，４１Ｋと、上記収納容器３０Ｙ，３０Ｍ，３０Ｃ，３０Ｋ内のトナーを一時収容するトナー貯蔵部４２Ｙ，４２Ｍ，４２Ｃ，４２Ｋと、該トナー貯蔵部４２Ｙ，４２Ｍ，４２Ｃ，４２Ｋ内のトナーを前記現像器２０Ｙ，２０Ｍ，２０Ｃ，２０Ｋに搬送するトナー搬送部４３Ｙ，４３Ｍ，４３Ｃ，４３Ｋとから構成されている。
【００１９】
一方、給紙カセット５０より半月ローラ５１を介して搬出された一枚の転写材（転写紙等）ｐは、給紙ローラ対５２，５３を経てレジストローラ対５４近傍で一旦停止し、転写のタイミングの整った時点でレジストローラ対５４の回転作動により転写域へと給紙される。
【００２０】
転写域においては転写のタイミングに同期して感光体ドラム１０の周面に転写手段６０が圧接され、給紙された転写材ｐを挟着して多色像が一括して転写される。
【００２１】
次いで、転写材ｐは分離手段６１によって除電され、感光体ドラム１０の周面より分離して定着装置７０に搬送され、熱ローラ（上ローラ）７１と圧着ローラ（下ローラ）７２の加熱，加圧によってトナーを溶着したのち、排紙ローラ８１，８２を経て装置外部の排紙トレイ８３上に排出される。なお、前記の転写手段６０は転写材ｐの通過後感光体ドラム１０の周面より退避離間して、次なるトナー像の形成に備える。
【００２２】
一方、転写材ｐを分離した感光体ドラム１０は、除電器１４により除電を受けたのち、クリーニング装置１５のブレード１５１の圧接により残留トナーを除去、清掃され、再び前記ＰＣＬ１２による除電とスコロトロン帯電器１１による帯電を受けて次なる画像形成のプロセスに入る。なお、前記のブレード１５１は感光体面のクリーニング後、直ちに移動して感光体ドラム１０の周面より退避する。ブレード１５１によってクリーニング装置１５内に掻き落された廃棄トナーは、スクリュー１５２により排出されたのち、図示しない廃トナー回収容器内へ貯留される。
【００２３】
図２は、トナー収納容器３０Ｙ，３０Ｍ，３０Ｃ，３０Ｋと、トナー貯蔵部４２Ｙ，４２Ｍ，４２Ｃ，４２Ｋと、現像器２０Ｙ，２０Ｍ，２０Ｃ，２０Ｋの一部を示す斜視図である。収納容器装着部４１Ｙ，４１Ｍ，４１Ｃ，４１Ｋは、それぞれ４種のトナー収納容器３０Ｙ，３０Ｍ，３０Ｃ，３０Ｋをほぼ同一平面上に平行設置し、着脱可能にする。前記現像器２０Ｙ，２０Ｍ，２０Ｃ，２０Ｋ内のトナーの量が減少した際に、前記トナー収納容器３０Ｙ，３０Ｍ，３０Ｃ，３０Ｋ内の各トナーを制御して補給するように構成されている。これらのトナー収納容器３０Ｙ，３０Ｍ，３０Ｃ，３０Ｋは、ほぼ同じ構成をなすから、以下、これらの収納容器３０Ｙ，３０Ｍ，３０Ｃ，３０Ｋを代表して収納容器３０と称して説明する。
【００２４】
図３は収納容器３０の部分断面側面図、図４は該収納容器３０の分解側面図、図５は該収納容器の分解斜視図である。
【００２５】
収納容器３０は、円筒形状をなし内部にトナーを収容する容器本体３１、該容器本体３１に固定された固定蓋３２、伸縮自在な容器開閉蓋３３とから構成されている。
【００２６】
容器本体３１の一方の端面は開放されていて開口部３１２を形成している。該容器本体３１の内周面には、螺旋状の突起３１１から成る案内部（トナー誘導部）を形成され、収納容器３０が回転されるとき、容器本体３１内に収納されたトナーは螺旋状の突起３１１に沿って案内され、開口部３１２の方向に移動される。３１３は前記開口部３１２の近傍の円筒面に設けられたＶ字型溝形状をなす係止部であり、後述の固定蓋３２の開口部３２１の近傍に設けられた凸形状の係止部３２２に密接に係合し一体化され、容器本体３１の開口部３１２と固定蓋３２の開口部３２１とを固定する。
【００２７】
固定蓋３２の一方の端面（図示右側）には、前記容器本体３１の開口部３１２に対向する開口部３２１と、該開口部３２１の近傍に設けられた凸形状の係止部３２２とが設けられていて、前記容器本体３１の開口部３１２を固定接続することにより、両開口部３１２，３２１は連通する。固定蓋３２の他方の端面（図示左側）の略中央部には、突出部が形成されている。該突出部の最先端面部の突当部３２３は後述の収納容器装着部４１の開閉蓋に当接する。前記突出部の外周面には、前記容器本体３１内のトナーを排出して、後述のトナー補給装置４０のトナー貯蔵部に堆積する複数の開口部（補給口）３２４が穿設されている。
【００２８】
固定蓋３２の内部には、収納容器３０の回転時に、収納容器３０の回転中心軸Ｒよりも上方にトナーをかきあげる２〜４枚の板状の掻き上げ部（パドル）３２５と、該掻き上げ部３２５により掻き上げられたトナーを前記開口部３２４へ案内、移動する傾斜面状のトナー案内部３２６とが固定設置されている。
【００２９】
前記固定蓋３２の突出部の外周には、３箇所の突起爪部が形成されている。前記突出部の突当部３２３の近傍に設けられた第１の突起爪部３２７は、前記容器開閉蓋３３の図示左端部近傍に設けられた係合部３３１に係止、離脱可能に係合する。第２の突起爪部３２８は、前記容器開閉蓋３３の図示右端部近傍に設けられた係止部３３２に固定係止される。第３の突起爪部３２９は、後述の回転力伝達部材４４の収納容器抜け止め部４４４に係脱可能に係合する。
【００３０】
前記容器開閉蓋３３の図示左端部近傍に設けられた係合部３３１は、前記第１の突起爪部３２７に係止、離脱可能である。該容器開閉蓋３３の中間部は蛇腹状に形成され、回転中心軸Ｒの方向に伸縮自在である。前記容器開閉蓋３３は蛇腹状にブロー成型されたものであり、前記第２の突起爪部３２８に超音波融着により固定（溶着）されている。この固着は接着剤により固定されてもよい。
【００３１】
図６は、前記収納容器３０をトナー補給装置４０の収納容器装着部４１に装着する前の状態、即ち、収納容器装着部４１と収納容器３０とが離間した状態を示す断面図、図７は、前記収納容器３０を収納容器装着部４１に装着した状態の収納容器３０、収納容器装着部４１、トナー貯蔵部４２、トナー搬送部４３を示す断面図である。
【００３２】
前記トナー貯蔵部（トナーホッパ）４２を構成する平行した２つの直立壁４２１，４２２には、回転力伝達部材４４が回転可能に支持されている。該回転力伝達部材４４の内側で、前記収納容器３０の突当部３２３に対向する位置には、トナー補給装置開閉蓋４５が装填されていて、コイルスプリング４６により付勢されている。回転力伝達部材４４の図示右端部に突出した複数の腕部の先端部には係止爪を有し、収納容器抜け止め部４４４を形成している。該収納容器抜け止め部４４４は、前記収納容器３０の第３の突起爪部３２９に係脱可能に係合する。また、回転力伝達部材４４の回転中心軸方向のほぼ中央部には、複数の開口部（トナー排出口）４４１が穿設されている。さらに、前記回転力伝達部材４４の図示左端部付近の軸端部には収納容器回転用歯車４７が固定されている。該収納容器回転用歯車４７は図示しない駆動源により駆動回転される。
【００３３】
前記収納容器３０を把持して収納容器装着部４１の案内台４１１上に載置して図示左方向に移動させ、収納容器３０の最先端の突当部３２３を前記トナー補給装置開閉蓋４５の右端面に当接させる。引き続き収納容器３０を図示左方向に移動させると、トナー補給装置開閉蓋４５がコイルスプリング４６に抗して圧縮され、前記開口部（トナー排出口）４４１が次第に開放され、前記回転力伝達部材４４と収納容器３０の第３の突起爪部３２９とが係合、接続されると、開口部４４１は全開状態になる。
【００３４】
この収納容器３０の移動過程で、前記伸縮自在な容器開閉蓋３３の突当部３２３が、前記回転力伝達部材４４の内壁部４４２に当接して進行が妨げられ、さらに収納容器３０が移動すると、容器開閉蓋３３の最先端の係合部３３１が収納容器３０の最先端の第１の突起爪部３２７から離脱して、収納容器３０側の開口部（補給口）３２４が次第に開放され、前記回転力伝達部材４４と収納容器３０の第３の突起爪部３２９とが係合、接続されると、開口部３２４は全開状態になる。
【００３５】
前記回転力伝達部材４４の図示左方に突出した回転軸部４４５の外径部には、前記収納容器回転用歯車４７が着脱可能に一体化される。回転力伝達部材４４の軸心部には貫通穴４４６が形成されていて、中空状になっている。該貫通穴４４６は、前記収納容器３０を収納容器装着部４１に装着するとき、収納容器３０の先端部の突当部３２３により圧縮されるトナー補給装置開閉蓋４５内の空気を排出して、トナー補給装置４０の機外に排出する。従って、収納容器３０を装着するとき、トナー補給装置開閉蓋４５の開閉動作時の空気流がトナーホッパ４２内に流れ込まないから、トナーを飛散させることはない。
【００３６】
このようにして、収納容器３０と回転力伝達部材４４とが係合、接続されると、前記収納容器３０側の開口部３２４と、トナー補給装置４０側の開口部４４１とが開放状態になる。駆動源により歯車４７が駆動回転されると、該歯車４７と一体をなす収納容器３０と回転力伝達部材４４とは一体になって駆動回転され、収納容器３０の容器本体３１内に収容されたトナーは、螺旋状の突起３１１によって、開口部３１２の方向に推進され、掻き上げ部（パドル）３２５により上方に掻き上げられ、トナー案内部４２６の傾斜面を重力によって滑落して、開口部３２４から排出され、さらに、回転力伝達部材４４の開口部（トナー排出口）４４１を通過してトナー貯蔵部４２のホッパ内に収容される。
【００３７】
前記トナー貯蔵部４２内に収容されるトナーの量は、図示しない光検知手段により検出され、トナー補給量が所定量に達したとき駆動源の駆動を停止し、トナー貯蔵部４２からのトナー補給を停止する。
【００３８】
なお、前記収納容器３０は回転伝達部材４４により回転されて、トナーはトナー貯蔵部４２に補給されるが、トナー貯蔵部４２内に一定量のトナーが貯蔵されると、収納容器３０が回転してもトナーは補給されないから、この状態で収納容器３０が回転し続けても問題は発生しない。
【００３９】
トナー貯蔵部４２のホッパ内に収容されたトナーは、図示しない駆動源に接続した搬送スクリュー用歯車４３２に固定された搬送スクリュー４３１に送り込まれ、トナー搬送部４３内で搬送されて、前記現像器２０に補給される。
【００４４】
【発明の効果】
（１）  請求項１及び３に記載の本発明は、収納容器端面の略中央部が突出した突出部の外周面にトナー収納容器の長手方向と略平行に設置された開口部と、前記トナー収納容器が回転することにより収納容器の回転中心軸よりも上方へトナーを掻き上げる掻き上げ部と、該掻き上げ部により掻き上げられたトナーを開口部へ案内するトナー案内部とを有することを特徴とする。まず、開口部は収納容器の長手方向に略平行であるので、重力の作用により効率良くトナーを排出することが出来る。また、この開口部を収納容器端面の略中央部が突出した突出部の外周面に設置し、この開口部までトナーを上記掻き上げ部及び上記トナー案内部により案内する。このようにすれば、ほぼ収納容器の回転中心軸に近い位置からトナーを落下させることが出来るので、トナー貯蔵部に貯蔵されるトナーの量を多く確保することができる。また、収納容器の機能でトナーをある程度の高さまで持ち上げることが出来るので、トナー補給装置の構造を簡素化することが可能である。
【００４５】
（２）  請求項２及び請求項４に記載の発明は、開口部近傍に開口部を開閉する伸縮自在の開閉蓋を設置することに関する発明である。このように伸縮自在の開閉蓋は閉まっている状態で開閉蓋の先端をしっかり押さえれば、内部のトナーがこぼれることはなく、シール性に優れており、トナー収納容器の着脱時にユーザーがトナーにより汚れることはない。
【００４７】
（３）  請求項５に記載の発明は、前記開閉蓋の開閉動作に関する発明である。収納容器の開閉蓋及びトナー貯蔵部の開閉蓋を収納容器の着脱動作に連動させて開閉させる。このようにすれば各々の開閉蓋を開閉させる動作を別途にする必要がないので煩わしい操作が省ける。
【図面の簡単な説明】
【図１】  トナー補給装置を複数組搭載したカラー画像形成装置の一例であるカラープリンタの断面構成図。
【図２】  複数のトナー収納容器、トナー貯蔵部、現像器の一部を示す斜視図。
【図３】  トナー収納容器の部分断面側面図。
【図４】  トナー収納容器の分解側面図。
【図５】  トナー収納容器のトナー排出部の分解斜視図。
【図６】  収納容器装着部とトナー収納容器とが離間した状態を示す断面図。
【図７】  トナー収納容器を収納容器装着部に装着した状態を示す断面図。
【符号の説明】
２０（Ｙ，Ｍ，Ｃ，Ｋ）  現像器（現像装置）
３０（Ｙ，Ｍ，Ｃ，Ｋ）  トナー収納容器（トナーカートリッジ、収納容器）
３１  容器本体
３１１ 螺旋状の突起
３２  固定蓋
３２３  突当部
３２４  開口部（補給口）
３２５  掻き上げ部（パドル）
３２６  トナー案内部
３３  容器開閉蓋
３４１  トナー排出部
４０  トナー補給装置
４１（Ｙ，Ｍ，Ｃ，Ｋ）  収納容器装着部
４２  トナー貯蔵部（トナーホッパ）
４３  トナー搬送部
４４  回転力伝達部材
４４１  開口部（トナー排出口）
４４４  収納容器抜け止め部
４４５  回転軸部
４４６  貫通穴
４５  トナー補給装置開閉蓋
４６  コイルスプリング
４７  収納容器回転用歯車
Ｒ  回転中心軸
【図１】
0003861428.tif 000002
【図２】
0003861428.tif 000003
【図３】
0003861428.tif 000004
【図４】
0003861428.tif 000005
【図５】
0003861428.tif 000006
【図６】
0003861428.tif 000007
【図７】
0003861428.tif 000008